(57)【特許請求の範囲】
【請求項１】
ボードの上面にカーペットが張られたカーペットラゲッジフロアの装着支持構造であって、
左右両ラゲッジサイドの下端縁部にラゲッジルーム内方向に向けて内向きフランジ部が一体に突出形成され、前記カーペットラゲッジフロアのボードは、前記左右両内向きフランジ部の先端よりもラゲッジルームの内側に配置されるとともに、前記カーペットラゲッジフロアのカーペットの上面が前記左右両内向きフランジ部の上面より高くなるようにラゲッジフロアメタルの上面にスペーサを介して載置され、
前記カーペットラゲッジフロアの上面には、前記左右両内向きフランジ部の上面にオーバラップする幅を有するラゲッジボードが、該ラゲッジボートの左右両端部裏面と前記左右両内向きフランジ部の上面との間に隙間が形成されるように載置されていることを特徴とするカーペットラゲッジフロアの装着支持構造。
【請求項２】
ボードの上面にカーペットが張られたカーペットラゲッジフロアの装着支持構造であって、
左右両ラゲッジサイドの下端縁部にラゲッジルーム内方向に向けて内向きフランジ部が一体に突出形成され、前記カーペットラゲッジフロアのボードは、前記左右両内向きフランジ部の先端よりもラゲッジルームの内側に配置されるとともに、前記カーペットラゲッジフロアのカーペットの上面が前記左右両内向きフランジ部の上面より高くなるようにラゲッジフロアメタルの上面にスペーサを介して載置され、
前記カーペットの左右両端部が前記ボードより左右両ラゲッジサイド方向へ向けて延長され、該カーペットの左右両延長部が、前記左右両ラゲッジサイドの左右両内向きフランジ部の上面にオーバラップして配置され、該カーペットの左右両延長部下面と前記左右両内向きフランジ部上面との間に隙間が形成されていることを特徴とするカーペットラゲッジフロアの装着支持構造。
【発明の詳細な説明】
【技術分野】
【０００１】
本発明は、カーペットラゲッジフロアの装着支持構造に関する。
【背景技術】
【０００２】
従来、ボードの上面にカーペットが張られたカーペットラゲッジフロアにおけるボードの左右両端縁部を、樹脂製の左右両ラゲッジサイドの下端縁部にラゲッジルーム内方向に向けて一体に突出形成された左右両内向きフランジ部に載置させると共に、ラゲッジフロアメタルとカーペットラゲッジフロアとの間には発泡材等のスペーサを介装させて隙間を埋めることにより、カーペットラゲッジフロアの中間部を支持させるようにしたカーペットラゲッジフロア装着支持構造が知られている（例えば、特許文献１参照）。
【０００３】
【特許文献１】特開平１１−１２３９８８号公報
【発明の開示】
【発明が解決しようとする課題】
【０００４】
しかしながら、上述の従来の技術にあっては、上述のように、カーペットラゲッジフロアにおけるボードの左右の両端部を左右両ラゲッジサイドの両内向きフランジ部に載置させる構造であったため、以下に述べるような問題があった。
即ち、カーペットラゲッジフロアの上面に直接的に、または、その上面に着脱可能に載置されるラゲッジボードの上面に重い荷物が積み込まれると、その荷重がカーペットラゲッジフロアのボードを介して左右両内向きフランジ部に加わるが、左右両ラゲッジサイドの下端縁部に形成された両内向きフランジ部は、合成樹脂で構成され、しかもその下部がラゲッジフロアメタル部分に支持されていないフリーの状態であるため、両内向きフランジ部を変形若しくは破損させるおそれがある。
【０００５】
本発明は、上述のような従来の問題点に着目して成されたもので、左右両ラゲッジサイドの両内向きフランジ部変形や破損を防止することができるカーペットラゲッジフロアの装着支持構造を提供することを目的としている。
【課題を解決するための手段】
【０００６】
上述の目的を達成するために、本願請求項１に記載のカーペットラゲッジフロアの装着支持構造は、ボードの上面にカーペットが張られたカーペットラゲッジフロアの装着支持構造であって、左右両ラゲッジサイドの下端縁部にラゲッジルーム内方向に向けて内向きフランジ部が一体に突出形成され、前記カーペットラゲッジフロアのボードは、前記左右両内向きフランジ部の先端よりもラゲッジルームの内側に配置されるとともに、前記カーペットラゲッジフロアのカーペットの上面が前記左右両内向きフランジ部の上面より高くなるようにラゲッジフロアメタルの上面にスペーサを介して載置され、前記カーペットラゲッジフロアの上面には、前記左右両内向きフランジ部の上面にオーバラップする幅を有するラゲッジボードが、該ラゲッジボートの左右両端部裏面と前記左右両内向きフランジ部の上面との間に隙間が形成されるように載置されていることを特徴とする手段とした。
【発明の効果】
【０００７】
請求項１に記載のカーペットラゲッジフロアの装着支持構造では、上述のように、左右両ラゲッジサイドの下端縁部にラゲッジルーム内方向に向けて内向きフランジ部が一体に突出形成され、前記カーペットラゲッジフロアのボードは、前記左右両内向きフランジ部の先端よりもラゲッジルームの内側に配置されるとともに、前記カーペットラゲッジフロアのカーペットの上面が前記左右両内向きフランジ部の上面より高くなるようにラゲッジフロアメタルの上面にスペーサを介して載置され、前記カーペットラゲッジフロアの上面には、前記左右両内向きフランジ部の上面にオーバラップする幅を有するラゲッジボードが、該ラゲッジボートの左右両端部裏面と前記左右両内向きフランジ部の上面との間に隙間が形成されるように載置されている構成とすることにより、カーペットラゲッジフロアの上面に直接的に、または、その上面に載置されるラゲッジボードの上面に重い荷物が積み込まれても、その荷重が左右両ラゲッジサイドの左右両内向きフランジ部には加わらないため、左右両ラゲッジサイドの内向きフランジ部の変形や破損を防止することができるようになるという効果が得られる。
【発明を実施するための最良の形態】
【０００８】
以下に、本発明の実施例を図面に基づいて説明する。
【実施例１】
【０００９】
この実施例１のカーペットラゲッジフロアの装着支持構造は、請求項１に記載の発明に対応する。
図１はこの実施例１のカーペットラゲッジフロアの装着支持構造が適用されたラゲッジルーム斜視図、図２は図１のＡ−Ａ線における拡大縦断面図である。
【００１０】
この実施例１のカーペットラゲッジフロアの装着支持構造は、ハッチバックタイプの車両に適用されるもので、車室後部のラゲッジルーム（車室）ＬＲが設けられている。このラゲッジルームＬＲは、ラゲッジフロア１と、左右両ラゲッジサイド２と、図示を省略した天井部によって構成されている。そして、ラゲッジルームＬＲの後部には図示を省略したバックドアにより開閉可能な開口部３が形成されている。
【００１１】
上記左右両ラゲッジサイド２の下端縁部には、ラゲッジルームＬＲ内方向に向けて内向きフランジ部２１が一体に突出形成されている。
また、上記ラゲッジフロア１は、左右両内向きフランジ部２１の内側において、金属製のラゲッジフロアメタル１１の上面に発泡材等のスペーサ１２を介してカーペットラゲッジフロア１３が、着脱可能に載置された状態で装着支持されている構造となっている。
【００１２】
上述のカーペットラゲッジフロア１３は、所定の曲げ剛性を有するボード１３１の上面に柔軟なカーペット１３２が張られた構造となっていて、カーペットラゲッジフロア１３におけるカーペット１３２の上面が左右両内向きフランジ部２１の上面より高くなるように各部材の寸法が設定されている。
【００１３】
また、この実施例１では、上記カーペットラゲッジフロア１３の上面に、左右両内向きフランジ部２１の上面までオーバラップする幅を有するラゲッジボード１４が着脱可能に載置された状態となっており、このラゲッジボード１４を載置した状態では、該ラゲッジボート１４の左右両端部裏面と左右両内向きフランジ部２１の上面との間に所定の隙間ｈが形成されるようになっている。
【００１４】
次に、実施例１の作用・効果について説明する。
この実施例１のカーペットラゲッジフロアの装着支持構造では、上述のように、左右両ラゲッジサイド２の下端縁部にラゲッジルームＬＲ内方向に向けて内向きフランジ部２１が一体に突出形成され、ボード１３１の上面にカーペット１３２が張られたカーペットラゲッジフロア１３が、左右両内向きフランジ部２１の内側においてボード１３１の下面にスペーサ１２を介してラゲッジフロアメタル１１の上面に載置された状態で装着支持されている構成とすることにより、カーペットラゲッジフロア１３の上面に重い荷物が積み込まれても、その荷重が左右両ラゲッジサイド２の左右両内向きフランジ部２１には加わらないため、左右両ラゲッジサイド２の内向きフランジ部２１の変形や破損を防止することができるようになるという効果が得られる。
【００１５】
また、カーペットラゲッジフロア１３におけるカーペット１３２の上面が左右両内向きフランジ部２１の上面より高くなるように構成されることにより、カーペットラゲッジフロア１３の上面に着脱可能に載置されるラゲッジボード１４の上面に重い荷物が積み込まれた場合や、カーペットラゲッジフロア１３の上に直接大きな荷物が置かれた場合であっても、その荷重が左右両ラゲッジサイド２の左右両内向きフランジ部２１には加わらないため、左右両ラゲッジサイド２の内向きフランジ部２１の変形や破損を防止することができるようになるという効果が得られる。
【００１６】
次に、他の実施例について説明する。この他の実施例の説明にあたっては、前記実施例１と同様の構成部分については図示を省略し、もしくは同一の符号を付けてその説明を省略し、相違点についてのみ説明する。
【実施例２】
【００１７】
この実施例２のカーペットラゲッジフロアの装着支持構造は、請求項２に記載の発明に対応する。
この実施例２は、前記実施例１におけるカーペットラゲッジフロアの装着支持構造の変形例を示すものであり、図３の拡大縦断面図に示すように、カーペットラゲッジフロア１３におけるカーペット１３２がその左右両端部をボード１３１よりは左右両ラゲッジサイド２方向へ向けて長く延長され、該カーペット１３２の左右両延長部１３３が、左右ラゲッジサイド２の左右両内向きフランジ部２１の上面までオーバラップする状態に配置されると共に、カーペット１３２における左右両延長部１３３の下面と左右両内向きフランジ部２１上面との間に所定の隙間ｈ２が形成されるように各部材の寸法が設定されている点が前記実施例１とは相違したものである。
【００１８】
従って、この実施例２では、前記実施例１と同様の効果が得られる他、左右両内向きフランジ部２１とカーペットラゲッジフロア１３との間の隙間及び左右両内向きフランジ部２１の上面がカーペット１３２で覆われた状態となるため、見栄えをよくすることができるようになるという追加の効果が得られる。
【００１９】
また、ボード１３１の両端部裏面が左右両内向きフランジ部２１の上面に当接しないため、ボード１３１と内向きフランジ部２１との間に不織布等の低級音防止対策を講じる必要がなくなる。
【００２０】
以上、本発明の実施例を図面に基づき説明してきたが、本発明は上述の実施例に限られるものではなく、本発明の要旨を逸脱しない範囲の設計変更等があっても、本発明に含まれる。
例えば、実施例では、ラゲッジボード１４の材質として発泡材を例示したが、その材質は任意であり、その他フェルト材等であってもよい。
【００２１】
また、ボード１３１の材質も任意であり、合板等所定の曲げ剛性を有するものであればよい。
【図面の簡単な説明】
【００２２】
【図１】実施例１のカーペットラゲッジフロアの装着支持構造が適用されたラゲッジルーム斜視図である。
【図２】図１のＡ−Ａ線における拡大縦断面図である。
【図３】実施例２のカーペットラゲッジフロアの装着支持構造を示す要部拡大縦断面図である。
【符号の説明】
【００２３】
ＬＲ  ラゲッジルーム
ｈ１  隙間
ｈ２  隙間
１  ラゲッジフロア
１１  ラゲッジフロアメタル
１２  スペーサ
１３  カーペットラゲッジフロア
１３１  ボード
１３２  カーペット
１３３  延長部
１４  ラゲッジボード
２  ラゲッジサイド
２１  内向きフランジ部
【図１】
0004661399.tif 000002
【図２】
0004661399.tif 000003
【図３】
0004661399.tif 000004